(57)【要約】【課題】高濃度の汚染土壌の処理、及び難分解性成分を多量に含んでいる重油類汚染土壌を簡単な管理で浄化処理できる重油類の分解浄化工法を提供する。【手段】重油類に汚染された汚染土壌を微生物の分解能により分解浄化する重油類の分解浄化工法であって、前記微生物として白色腐朽菌を採用し、前記白色腐朽菌および前記白色腐朽菌を接種した培養物、または前記白色腐朽菌の産生するリグニン分解酵素を用いて前記汚染土壌を浄化することを特徴とする。この構成により、重油類汚染土壌に白色腐朽菌およびその培養物を混合し、２５℃〜３０℃で１週間から４週間培養を行うと、重油類を分解・無害化できる。また、白色腐朽菌は、難分解性の多環芳香族を分解する能力を有し、リグニンを分解でき、白色腐朽菌は、ダイオキシン類等を分解する微生物として知られている。従って、従来のバイオレメディエーションでは処理が困難であった多環芳香族を分解できる。【選択図】  図３
2006095412.tif 000002
【特許請求の範囲】
【請求項１】
重油類に汚染された汚染土壌を微生物の分解能により分解浄化する重油類の分解浄化工法であって、
前記微生物として白色腐朽菌を採用し、
前記白色腐朽菌および前記白色腐朽菌を接種した培養物、または前記白色腐朽菌の産生するリグニン分解酵素を用いて前記汚染土壌を浄化することを特徴とする重油類の分解浄化工法。
【請求項２】
前記培養物の中の培養基材としては、木質系材料を採用し、
前記木質系材料を堆肥化させることなしに前記培養物を作成することを特徴とする請求項１に記載の重油類の分解浄化工法。
【請求項３】
前記木質系材料は、葉を含有する剪定材であることを特徴とする請求項２に記載の重油類の分解浄化工法。
【請求項４】
前記白色腐朽菌の産生するリグニン分解酵素は、マンガンペルオキシダーゼ、ラッカーゼおよびリグニンペルオキシダーゼであることを特徴とする請求項１〜３のいずれかに記載の重油類の分解浄化工法。
【請求項５】
前記培養物を作成する時には、栄養塩を添加しないことを特徴とする請求項１〜４のいずれかに記載の重油類の分解浄化工法。
【発明の詳細な説明】
【技術分野】
【０００１】
本発明は、重油類に汚染された汚染土壌を微生物の分解能により分解浄化する重油類の分解浄化工法に関する。
【背景技術】
【０００２】
石油製品等を取り扱う事業所等の敷地を他の事業に転用する場合に、これらの敷地の土壌が石油等で汚染されている場合があり、この汚染土壌を浄化する必要がある。
【０００３】
従来行われている石油製品等による汚染土壌の浄化方法はその原理により、以下のように分類される。
（１）熱、触媒、光等により汚染物質を化学的に分解する方法。
（２）吸着、固化、抽出により汚染物質を化学的に除去する方法。
（３）土壌を遮蔽して汚染物質を物理的に封じ込める方法。
（４）微生物等を利用したバイオレメディエーションにより汚染物質を生物学的に分解する方法。
【０００４】
バイオレメディエーションとは生物的環境修復（浄化）技術であって、バイオレメディエーションには、土着微生物を活性化して自浄作用を増強、強化するバイオスティムレーションと外来微生物を導入（投入）するバイオオーギュメンテーションとがある。そして、これらの浄化方法は、浄化処理を、汚染現場で行う方法（インサイチューバイオレメディエーション又はオンサイトバイオレメディエーション）と、汚染現場以外で行う方法（エクサイチューバイオレメディエーション又はオフサイトバイオレメディエーション）とに分類できる。また、この方法は、土着の微生物類等を栄養塩の添加及び酸素供給によって活性化させ、重油類を分解・無害化させる方法である。
【特許文献１】特開２００４−８９００号公報
【発明の開示】
【発明が解決しようとする課題】
【０００５】
ところで、前記（１）〜（４）の浄化方法は、比較的短時間の処理が可能であるが、燃料や電気のようなエネルギーを必要とし、また、１つの生態系である土壌環境を殺してしまう等、比較的環境への負荷（負担）が大きく、処理コストも高いという問題があった。
【０００６】
また、（４）のバイオレメディエーションでは、高濃度の汚染土壌を処理するのが難しいといった問題や、重油成分の中でも難分解性の多環芳香族を分解することが難しいといった問題があった。
【０００７】
更に、（４）のバイオレメディエーションでは、栄養塩を添加する工程や酸素を供給する工程が必要であり、などが必要であり、栄養塩の添加や酸素の供給（培養物を堆肥化させる）を管理するコストが高いという問題があった。
【０００８】
本発明は、前記課題を解決するためになされたものであり、高濃度の汚染土壌の処理、及び難分解性成分を多量に含んでいる重油類汚染土壌を簡単な管理で浄化処理できる重油類の分解浄化工法を提供することを技術的課題とする。
【課題を解決するための手段】
【０００９】
本発明は、重油類の分解浄化工法であり、前述の技術的課題を解決すべく以下のような構成とされている。
すなわち、本発明の重油類の分解浄化工法は、重油類に汚染された汚染土壌を微生物の分解能により分解浄化する重油類の分解浄化工法であって、
前記微生物として白色腐朽菌を採用し、
前記白色腐朽菌および前記白色腐朽菌を接種した培養物、または前記白色腐朽菌の産生するリグニン分解酵素を用いて前記汚染土壌を浄化することを特徴とする。
【００１０】
この構成によれば、重油類汚染土壌に白色腐朽菌およびその培養物を混合し、２５℃〜３０℃で１週間から４週間培養を行うことにより、重油類を分解・無害化する。
【００１１】
また、白色腐朽菌は、難分解性の多環芳香族を分解する能力を有し、リグニンを分解できる。更に、白色腐朽菌は、ダイオキシン類等を分解する微生物として知られており、従来のバイオレメディエーションでは処理が困難であった多環芳香族を分解できる。
【００１２】
また、本発明の重油類の分解浄化工法における前記培養物の中の培養基材としては、木質系材料を採用し、前記木質系材料を堆肥化させることなしに前記培養物を作成する。また、前記木質系材料は、葉を含有する剪定材である。
【００１３】
更に、本発明の重油類の分解浄化工法において、前記白色腐朽菌の産生するリグニン分解酵素がマンガンペルオキシダーゼ、ラッカーゼおよびリグニンペルオキシダーゼであることを特徴とする。
【００１４】
更にまた、前記培養物を作成する時には、栄養塩を添加しないことを特徴とする。
【発明の効果】
【００１５】
本発明は、高濃度の汚染土壌の処理、及び難分解性成分を多量に含んでいる重油類汚染土壌を栄養塩の添加や酸素の供給（培養物を堆肥化させる）を管理することなしに浄化処理できるものである。そのために、管理に必要な人件費の削減、および高濃度の汚染にまで対応できることから、浄化対象範囲を大幅に広げることができる。
【発明を実施するための最良の形態】
【００１６】
以下、本発明に係る重油類の分解浄化工法の実施の形態について、図面を参照して詳細に説明する。
【００１７】
この実施の形態の重油類の分解浄化工法は、重油類（汚染土壌）を浄化する方法であって、重油類汚染土壌を白色腐朽菌およびその培養物、または白色腐朽菌の産生するリグニン分解酵素を用いて浄化するものである。この白色腐朽菌の産生するリグニン分解酵素はマンガンペルオキシダーゼ、ラッカーゼおよびリグニンペルオキシダーゼである。
【００１８】
なお、この実施の形態では、重油類として、最も不揮発成分が多く分解しにくいＣ重油を対象とする。また、この実施の形態における培養物の中で培養基材として、木質系材料の木粉（ブナ脱脂木粉）を堆肥化させることなしに使用する。また、この木質系材料は、葉を含有する剪定材である。更に、白色腐朽菌（キノコ菌）は、ＹＫ−６２４やカワラタケを使用する。
【００１９】
すなわち、Ｃ重油を含浸させた培養基材である木粉（ブナ脱脂木粉：重油濃度15000ppm）に白色腐朽菌（ＹＫ−６２４あるいはカワラタケ）を接種し、３０℃にて１週間〜４週間静置培養を行い、その分解効果を確認した。
【００２０】
図１は重油類（Ｃ重油）の分解状態をグラフにて表したものである。なお、図１において、縦軸は残油量（％）を示し、横軸は経過時間を示す。
【００２１】
図１において、白色腐朽菌にＹＫ−６２４を用いた場合、開始より２週間経過後、残油量（％）が１５％まで急激に変化し、更に６週間経過すると、残油量（％）が８％まで変化した。また、白色腐朽菌にカワラタケを用いた場合、開始より６週間経過すると、残油量（％）が８％まで変化した。
【００２２】
このことから、白色腐朽菌（ＹＫ−６２４あるいはカワラタケなど）を用いてＣ重油の分解浄化可能であることがわかる。また、同じ白色腐朽菌でも、ＹＫ−６２４とカワラタケを比較すると、カワラタケよりＹＫ−６２４の方が効率よく分解浄化することができる。
【００２３】
また、この実施の形態によれば、白色腐朽菌にＹＫ−６２４を用いた場合、高濃度のＣ重油を約１週間で半分程度（５０％程度）分解することが確認できた。従って、従来の微生物では高濃度のＣ重油に対応できなかったものを、この実施の形態は可能にし、また、従来行われていた堆肥化させる（静置培養で切り返し等）ことが不必要であることから、効率的に分解・無害化できることが示唆された。
【００２４】
図２は効率よく分解浄化できる白色腐朽菌（ＹＫ−６２４）を用いてＡ重油、Ｂ重油、Ｃ重油の各々の分解状態をグラフにて表したものである。なお、図２において、縦軸は残油量（％）を示し、横軸は経過時間を示す。
【００２５】
図２において、Ａ重油を白色腐朽菌にＹＫ−６２４を用いて分解浄化すると、開始より２週間経過後、残油量（％）が１０％まで急激に変化し、更に６週間経過すると、残油量（％）が５％まで変化した。また、Ｂ重油を白色腐朽菌にＹＫ−６２４を用いて分解浄化すると、開始より２週間経過後、残油量（％）が１０％まで急激に変化し、更に６週間経過すると、残油量（％）が５％まで変化した。Ｃ重油の場合は、開始より２週間経過後、残油量（％）が１５％まで急激に変化し、更に６週間経過すると、残油量（％）が８％まで変化した。
【００２６】
このことから、白色腐朽菌にＹＫ−６２４を用いて分解浄化すると、Ａ重油及びＢ重油は、Ｃ重油の場合より更に分解浄化が効率よくできることが確認できる。
【実施例】
【００２７】
次に、本発明に係る重油類の分解浄化工法の実施例を説明する。
この実施例では、重油類汚染土壌として、砂質土壌にＣ重油を5000〜50000mg/kgで添加した模擬土壌を用いた。また、この実施例では、前述のように木質系材料の木粉（ブナ脱脂木粉）を堆肥化させることなしに使用する。
【００２８】
更に、白色腐朽菌（キノコ菌）は、ＹＫ−６２４を使用する。この実施例では、Ｃ重油を含浸させた３種類（5000ppm,20000ppm,50000ppm）の模擬土壌に白色腐朽菌を接種し、２５℃にて３週間間静置培養を行い、Ｃ重油を添加した模擬土壌の分解浄化処理を行った。
【００２９】
図３はＣ重油を含浸させた３種類（5000ppm,20000ppm,50000ppm）の模擬土壌の各々の分解状態をグラフにて表したものである。なお、図３において、縦軸は残油量（％）を示し、横軸は経過時間を示す。
【００３０】
図３において、5000ppmの模擬土壌を白色腐朽菌を用いて分解浄化すると、開始より１週間経過後、残油量（％）が１８％まで急激に変化し、更に３週間経過すると、残油量（％）が８％まで変化した。また、20000ppmの模擬土壌を白色腐朽菌を用いて分解浄化する
と、開始より１週間経過後、残油量（％）が２０％まで急激に変化し、更に３週間経過すると、残油量（％）が１５％まで変化した。また、50000ppmの模擬土壌を白色腐朽菌を用いて分解浄化すると、開始より１週間経過後、残油量（％）が２０％まで急激に変化し、更に３週間経過すると、残油量（％）が１５％まで変化した。すなわち、本発明の重油類の分解浄化工法を用いると、高濃度（例えば50000ppm）の重油類であっても３週間で１０％〜１５％まで分解浄化できることが確認された。
【００３１】
5000ppmの模擬土壌を従来のバイオレメディエーションを用いて分解浄化すると、図３に示すように、開始より１週間経過後、残油量（％）が８５％まで変化し、更に３週間経過すると、残油量（％）が６５％まで変化した。
【００３２】
この実施例の結果によれば、本発明の重油類の分解浄化工法を用いると、従来のバイオレメディエーションでは、３週間かけて６５％程度しか分解浄化できなかった高濃度（例えば50000ppm）の重油類を１０％〜１５％まで分解浄化できる。
【００３３】
また、本発明の重油類の分解浄化工法において、培養物作成時には、栄養塩を添加しないので、管理が簡略化できる。更に、従来行われていた堆肥化させる（静置培養で切り返し等）ことが不必要であることから、管理が簡略化でき、効率的に分解・無害化できる。
【図面の簡単な説明】
【００３４】
【図１】重油類（Ｃ重油）の分解状態をグラフにて表したものである。
【図２】効率よく分解浄化できる白色腐朽菌（ＹＫ−６２４）を用いてＡ重油、Ｂ重油、Ｃ重油の各々の分解状態をグラフにて表したものである。
【図３】Ｃ重油を含浸させた３種類（5000ppm,20000ppm,50000ppm）の模擬土壌の各々の分解状態をグラフにて表したものである。凝集反応管の斜視図である。
【図１】
2006095412.tif 000003
【図２】
2006095412.tif 000004
【図３】
2006095412.tif 000005